(57)【特許請求の範囲】
【請求項１】
電子機器の過去の消費電力の推移に関する消費電力情報を入力する消費電力情報入力部と、
前記消費電力情報から前記電子機器の過去の動作状態の推移に関する動作状態情報を算出する動作状態検出部と、
前記動作状態情報から前記電子機器の利便性値を求め、予め設定した電気使用量削減目標値と前記動作状態情報と前記利便性値とから低消費電力モード新規設定情報を算出する低消費電力モード新規設定情報算出部と、
予め設定された前記電子機器の低消費電力モード初期設定情報を蓄積する低消費電力モード初期設定情報蓄積部と、
前回の低消費電力モード設定情報を低消費電力モード現在設定情報として蓄積する低消費電力モード現在設定情報蓄積部と、
前記低消費電力モード新規設定情報と前記低消費電力モード初期設定情報と前記低消費電力モード現在設定情報とから低消費電力モード設定情報を算出する低消費電力モード設定情報算出部と、
前記低消費電力モード設定情報を前記電子機器に出力すると共に前記低消費電力モード現在設定情報蓄積部に書き出す低消費電力モード設定情報出力部と、
を備え、
前記低消費電力モード新規設定情報算出部は、
前記電子機器における制御区間ごとの待機状態から動作状態への移行回数を前記動作状態情報から算出する手段と、
前記移行回数を単調減少関数で写像して前記利便性値とし、前記制御区間ごとの前記利便性値を算出する手段と、
前記電気使用量削減目標値を、前記利便性値が大きいほど大きくなるように各制御区間に配分して制御区間毎に前記低消費電力モード新規設定情報に対応させる手段と、
を備えることを特徴とする電子機器の消費電力制御システム。
【請求項２】
前記低消費電力モード設定情報算出部は、前記低消費電力モード新規設定情報と前記低消費電力モード初期設定情報と前記低消費電力モード現在設定情報とにそれぞれ所定の重み付けをして結合した情報を求め、該情報に基づいて前記低消費電力モード設定情報を算出することを特徴とする請求項１記載の電子機器の消費電力制御システム。
【請求項３】
前記低消費電力モード新規設定情報、前記低消費電力モード初期設定情報、前記低消費電力モード現在設定情報、前記低消費電力モード設定情報は、それぞれ前記電子機器を低消費電力モードに設定する時間からなることを特徴とする請求項１または２に記載の電子機器の消費電力制御システム。
【請求項４】
電子機器の過去の消費電力の推移に関する消費電力情報を入力するステップと、
前記消費電力情報から前記電子機器の過去の動作状態の推移に関する動作状態情報を算出するステップと、
前記動作状態情報から前記電子機器の利便性値を求め、予め設定した電気使用量削減目標値と前記動作状態情報と前記利便性値とから低消費電力モード新規設定情報を算出するステップと、
前記低消費電力モード新規設定情報と、予め設定された前記電子機器の低消費電力モード初期設定情報と、前回の低消費電力モード設定情報である低消費電力モード現在設定情報との３つから低消費電力モード設定情報を算出するステップと、
前記低消費電力モード設定情報を前記電子機器に出力すると共に前記低消費電力モード現在設定情報の替わりに置き換えるステップと、
を含み、
前記低消費電力モード新規設定情報を算出するステップにおいて、
前記電子機器における制御区間ごとの待機状態から動作状態への移行回数を前記動作状態情報から算出し、
前記移行回数を単調減少関数で写像して前記利便性値とし、前記制御区間ごとの前記利便性値を算出し、
前記電気使用量削減目標値を、前記利便性値が大きいほど大きくなるように各制御区間に配分して制御区間毎に前記低消費電力モード新規設定情報に対応させることを特徴とする電子機器の消費電力制御方法。
【請求項５】
前記低消費電力モード設定情報を算出するステップにおいて、前記低消費電力モード新規設定情報と前記低消費電力モード初期設定情報と前記低消費電力モード現在設定情報とに対してそれぞれ所定の重み付けをして結合した情報を求め、該情報に基づいて前記低消費電力モード設定情報を算出することを特徴とする請求項４記載の電子機器の消費電力制御方法。
【請求項６】
前記低消費電力モード新規設定情報、前記低消費電力モード初期設定情報、前記低消費電力モード現在設定情報、前記低消費電力モード設定情報は、それぞれ前記電子機器を低消費電力モードに設定する時間からなることを特徴とする請求項４または５に記載の電子機器の消費電力制御方法。
【請求項７】
消費電力制御システムを構成するコンピュータに、
電子機器の過去の消費電力の推移に関する消費電力情報を入力する消費電力情報入力処理と、
前記消費電力情報から前記電子機器の過去の動作状態の推移に関する動作状態情報を算出する動作状態検出処理と、
前記動作状態情報から前記電子機器の利便性値を求め、予め設定した電気使用量削減目標値と前記動作状態情報と前記利便性値とから低消費電力モード新規設定情報を算出する低消費電力モード新規設定情報算出処理と、
予め設定された前記電子機器の低消費電力モード初期設定情報を蓄積する低消費電力モード初期設定情報蓄積処理と、
前回の低消費電力モード設定情報を低消費電力モード現在設定情報として蓄積する低消費電力モード現在設定情報蓄積処理と、
前記低消費電力モード新規設定情報と、前記低消費電力モード初期設定情報と、前記低消費電力モード現在設定情報との３つから低消費電力モード設定情報を算出する低消費電力モード設定情報算出処理と、
前記低消費電力モード設定情報を電子機器に出力すると共に前記低消費電力モード現在設定情報蓄積部に書き出す低消費電力モード設定情報出力処理と、
を実行させ、
前記低消費電力モード新規設定情報算出処理において、
電子機器の動作状態情報から制御区間ごとの待機状態から動作状態への移行回数を算出する処理と、
前記移行回数を単調減少関数で写像して制御区間ごとの利便性値を算出する処理と、
電気使用量削減目標値を、前記利便性値が大きいほど大きくなるように各制御区間に配分して制御区間毎に前記低消費電力モード新規設定情報に対応させる処理と、
を実行させるためのプログラム。
【請求項８】
前記低消費電力モード設定情報算出処理において、前記低消費電力モード新規設定情報と前記低消費電力モード初期設定情報と前記低消費電力モード現在設定情報とに対してそれぞれ所定の重み付けをして結合した情報を求め、該情報に基づいて前記低消費電力モード設定情報を算出することを特徴とする請求項７記載のプログラム。
【請求項９】
前記低消費電力モード新規設定情報、前記低消費電力モード初期設定情報、前記低消費電力モード現在設定情報、前記低消費電力モード設定情報は、それぞれ前記電子機器を低消費電力モードに設定する時間からなることを特徴とする請求項７または８に記載のプログラム。
【発明の詳細な説明】
【技術分野】
【０００１】
本発明は、オフィスや家庭で利用されるパソコン等の電子機器の電気使用量を制御し、電子機器の省エネルギーを実現する消費電力制御システム、消費電力制御方法および消費電力制御用のプログラムに関する。
【背景技術】
【０００２】
従来の電子機器の消費電力制御システムの一例が、特許文献１に記載されている。この印刷装置は、複数の動作モード、例えばスタンバイモードと省電力モードを備え、スタンバイモードから省電力モードに移行するまでのタイムアウト時間をコンピュータから制御できる印刷装置と、これに接続された計算機装置からなる印刷システムであって、任意の動作モードで動作中に印刷データ等を受信しない所定の時間が経過すると他の動作モードに移行させるモード制御手段と、印刷データ等を受信しない時間を計測し、また所定の時間を変更する制御情報の受信や入力により所定の時間を変更、管理する時間情報処理手段を備え、印刷システムを構成する計算機装置には時間、時刻を計測し時刻情報を出力する計時手段と、所定の時間を決定する時間長決定手段と、所定の時間を印刷装置の制御情報として印刷装置に送信する送信手段を備える。
【０００３】
このような構成を有する従来の消費電力制御システムは次のように動作する。時間長決定手段は、時刻情報をもとに印刷装置が動作モードを切り替えるまでに経過を待つ、印刷データ等を受信しない時間長を決定する。送信手段は、時間長をもとに印刷装置の制御情報を構成し、印刷装置に対して送信する。制御情報を受信した印刷装置の時間情報処理手段は、制御情報から所定の時間を取り出し、管理する。モード制御手段はこれ以後、新しく指定された所定の時間を以って、該時間印刷データ等を受信しない時間が継続すると動作モードを切り替える。
【０００４】
すなわち、このような構成を有する従来の消費電力制御システムは、一日を複数の時間帯に分けて、それぞれについて異なるタイムアウト時間を設定できるようになるので、印刷装置を頻繁に使う時間帯（例えば昼間）にはタイムアウト時間を長く設定しておき、印刷データをウォームアップすることなく印刷処理することで利用者に対して高い利便性を提供でき、さらに印刷装置を余り使わない時間帯（例えば夜間）にはタイムアウト時間を短く設定しておき、印刷処理終了後に短時間で省電力モードに移行することで省エネルギー効果の向上を両立できるようになる。
【０００５】
【特許文献１】特開２００４−３５８８５９号公報（第１、６、１０頁）
【発明の開示】
【発明が解決しようとする課題】
【０００６】
ところで、従来技術における印刷装置は、電子機器が待機状態の際に低消費電力モードに移行する時間である低消費電力モード設定時間（従来例におけるタイムアウト時間）が、電子機器の各々の利用者の利用状態に対応した制御を行っておらず、各々の利用者の利便性を維持した状態における消費電力削減の達成が十分でない虞がある。その理由は、従来技術における低消費電力モード設定時間は、昼夜など時刻のみに相関して設定されているためである。
【０００７】
また、従来技術においては予め設定した電気使用削減量の目標値を達成するような動的な消費電力制御ができない虞がある。その理由は、従来技術における低消費電力モード設定時間は、電気使用削減量の目標値を考慮して設定されていないためである。
【０００８】
本発明の第一の目的は、電子機器の各々の利用者の利用状態に対応した制御を行い、各々の利用者の利便性を維持した状態における消費電力削減を達成することにある。
【０００９】
また、本発明の第二の目的は、予め設定した電気使用削減量の目標値を達成するような動的な消費電力制御を行うことにある。
【課題を解決するための手段】
【００１０】
本発明の一つのアスペクトに係る電子機器の消費電力制御システムは、電子機器の過去の消費電力の推移に関する消費電力情報を入力する消費電力情報入力部と、消費電力情報から電子機器の過去の動作状態の推移に関する動作状態情報を算出する動作状態検出部と、動作状態情報から電子機器の利便性値を求め、予め設定した電気使用量削減目標値と動作状態情報と利便性値とから低消費電力モード新規設定情報を算出する低消費電力モード新規設定情報算出部と、予め設定された電子機器の低消費電力モード初期設定情報を蓄積する低消費電力モード初期設定情報蓄積部と、前回の低消費電力モード設定情報を低消費電力モード現在設定情報として蓄積する低消費電力モード現在設定情報蓄積部と、低消費電力モード新規設定情報と低消費電力モード初期設定情報と低消費電力モード現在設定情報とから低消費電力モード設定情報を算出する低消費電力モード設定情報算出部と、低消費電力モード設定情報を電子機器に出力すると共に低消費電力モード現在設定情報蓄積部に書き出す低消費電力モード設定情報出力部と、を備える。また、低消費電力モード新規設定情報算出部は、電子機器における制御区間ごとの待機状態から動作状態への移行回数を動作状態情報から算出する手段と、移行回数を単調減少関数で写像して利便性値とし、制御区間ごとの利便性値を算出する手段と、電気使用量削減目標値を、利便性値が大きいほど大きくなるように各制御区間に配分して制御区間毎に低消費電力モード新規設定情報に対応させる手段と、を備える。このような構成のシステムによれば、電子機器の利用者の利便性と電気使用量削減目標値の両方を考慮した電子機器の制御を行うことができ、本発明の目的を達成することができる。
【００１２】
第１の展開形態の電子機器の消費電力制御システムにおいて、低消費電力モード設定情報算出部は、低消費電力モード新規設定情報と低消費電力モード初期設定情報と低消費電力モード現在設定情報とにそれぞれ所定の重み付けをして結合した情報を求め、該情報に基づいて低消費電力モード設定情報を算出するようにしてもよい。
【００１３】
第２の展開形態の電子機器の消費電力制御システムにおいて、低消費電力モード新規設定情報、低消費電力モード初期設定情報、低消費電力モード現在設定情報、低消費電力モード設定情報は、それぞれ電子機器を低消費電力モードに設定する時間からなることが好ましい。
【００１４】
本発明の一つのアスペクトに係る電子機器の消費電力制御方法は、電子機器の過去の消費電力の推移に関する消費電力情報を入力するステップと、消費電力情報から電子機器の過去の動作状態の推移に関する動作状態情報を算出するステップと、動作状態情報から電子機器の利便性値を求め、予め設定した電気使用量削減目標値と動作状態情報と利便性値とから低消費電力モード新規設定情報を算出するステップと、低消費電力モード新規設定情報と、予め設定された電子機器の低消費電力モード初期設定情報と、前回の低消費電力モード設定情報である低消費電力モード現在設定情報との３つから低消費電力モード設定情報を算出するステップと、低消費電力モード設定情報を電子機器に出力すると共に低消費電力モード現在設定情報の替わりに置き換えるステップと、を含む。また、低消費電力モード新規設定情報を算出するステップにおいて、電子機器における制御区間ごとの待機状態から動作状態への移行回数を動作状態情報から算出し、移行回数を単調減少関数で写像して利便性値とし、制御区間ごとの利便性値を算出し、電気使用量削減目標値を、利便性値が大きいほど大きくなるように各制御区間に配分して制御区間毎に低消費電力モード新規設定情報に対応させる。このような方法によれば、電子機器の利用者の利便性と電気使用量削減目標値の両方を考慮した電子機器の制御を行うことができ、本発明の目的を達成することができる。
【００１５】
本発明の一つのアスペクトに係るプログラムは、消費電力制御システムを構成するコンピュータに、電子機器の過去の消費電力の推移に関する消費電力情報を入力する消費電力情報入力処理と、消費電力情報から電子機器の過去の動作状態の推移に関する動作状態情報を算出する動作状態検出処理と、動作状態情報から電子機器の利便性値を求め、予め設定した電気使用量削減目標値と動作状態情報と利便性値とから低消費電力モード新規設定情報を算出する低消費電力モード新規設定情報算出処理と、予め設定された電子機器の低消費電力モード初期設定情報を蓄積する低消費電力モード初期設定情報蓄積処理と、前回の低消費電力モード設定情報を低消費電力モード現在設定情報として蓄積する低消費電力モード現在設定情報蓄積処理と、低消費電力モード新規設定情報と、低消費電力モード初期設定情報と、低消費電力モード現在設定情報との３つから低消費電力モード設定情報を算出する低消費電力モード設定情報算出処理と、低消費電力モード設定情報を電子機器に出力すると共に低消費電力モード現在設定情報蓄積部に書き出す低消費電力モード設定情報出力処理と、を実行させる。また、低消費電力モード新規設定情報算出処理において、電子機器の動作状態情報から制御区間ごとの待機状態から動作状態への移行回数を算出する処理と、移行回数を単調減少関数で写像して制御区間ごとの利便性値を算出する処理と、電気使用量削減目標値を、利便性値が大きいほど大きくなるように各制御区間に配分して制御区間毎に低消費電力モード新規設定情報に対応させる処理と、を実行させる。このようなプログラムによれば、電子機器の利用者の利便性と電気使用量削減目標値の両方を考慮した電子機器の制御を行うことができ、本発明の目的を達成することができる。
【発明の効果】
【００１６】
本発明の第１の効果は、電子機器の利用者の利用状態に対応した制御を行い、利用者の利便性を維持した状態における消費電力削減を実現できることにある。その理由は、電子機器の消費電力情報を入力し、消費電力情報から電子機器の動作状態情報を算出することにより、電子機器の動作状態を把握できるためである。また、動作状態情報から、予め設定した制御区間ごとの待機状態から動作状態への移行回数を算出し、移行回数を単調減少関数で写像して制御区間ごとの利便性値を算出し、全体の電気使用量削減目標値を、利便性値が大きいほど大きくなるように各制御区間に配分し、電子機器の利用者の利便性を考慮した低消費電力モード新規設定情報を算出することにより、待機状態から動作状態への移行回数がより大きい区間、つまりより頻繁に操作を行っている区間ほど電気使用量削減目標値を小さく割り当てられるような制御を行うためである。
【００１７】
また、第２の効果は、ある電気使用削減量の目標値を達成するような動的な消費電力制御を行うことができることにある。その理由は、電子機器の動作状態情報と全体の電気使用量削減目標値から低消費電力モード新規設定情報を算出することにより、全体の電気使用量削減目標値を達成するような制御を行うためである。
【発明を実施するための最良の形態】
【００１８】
次に、発明を実施するための最良の形態について図面を参照して詳細に説明する。図１は、本発明の実施の形態に係る消費電力制御システムの構成を示すブロック図である。図１において、消費電力制御システム１００は、消費電力情報入力部１０１、動作状態検出部１０２、低消費電力モード新規設定情報算出部１０３、低消費電力モード設定情報算出部１０４、低消費電力モード初期設定情報蓄積部１０５、低消費電力モード現在設定情報蓄積部１０６、低消費電力モード設定情報出力部１０７を備える。
【００１９】
消費電力情報入力部１０１は、予め設定された設定期間における電子機器２００の過去の消費電力の推移に関する情報である消費電力情報を入力し、消費電力情報を動作状態検出部１０２に出力する機能を持つ。
【００２０】
動作状態検出部１０２は、消費電力情報入力部１０１から受信した消費電力情報から、設定期間における電子機器２００の過去の動作、待機、停止等の動作状態の推移に関する情報である動作状態情報を算出し、動作状態情報を低消費電力モード新規設定情報算出部１０３に出力する機能を持つ。
【００２１】
低消費電力モード新規設定情報算出部１０３は、動作状態検出部１０２から受信した動作状態情報から、予め設定され、設定期間よりも小さな値である制御区間ごとの待機状態から動作状態への移行回数を算出し、移行回数を単調減少関数で写像して制御区間ごとの値、すなわち電子機器の状態持続状況を表す利便性値を算出する機能を持つ。そして、設定期間における電気使用量削減目標値を、利便性値が大きいほど大きくなるように各制御区間に配分し、設定期間における電子機器２００の利用者の利便性を考慮した低消費電力モード設定情報である低消費電力モード新規設定情報を算出し、低消費電力モード新規設定情報を低消費電力モード設定情報算出部１０４に出力する機能を持つ。
【００２２】
低消費電力モード設定情報算出部１０４は、低消費電力モード新規設定情報算出部１０３から受信した低消費電力モード新規設定情報と、低消費電力モード初期設定情報蓄積部１０５から読み出した低消費電力モード初期設定情報と、低消費電力モード現在設定情報蓄積部１０６から読み出した低消費電力モード現在設定情報との３つから、設定期間における電子機器２００の利用者の利便性を考慮した低消費電力モード設定情報を算出する。ここで、低消費電力モード新規設定情報と低消費電力モード初期設定情報と低消費電力モード現在設定情報とにそれぞれ所定の重み付けをして結合した情報を求め、この情報に基づいて低消費電力モード設定情報を算出する。算出した低消費電力モード設定情報を電子機器２００の制御のために低消費電力モード設定情報出力部１０７に出力する機能を持つ。
【００２３】
低消費電力モード初期設定情報蓄積部１０５は、設定期間における電子機器２００の低消費電力モード初期設定情報を蓄積し、低消費電力モード設定情報算出部１０４が参照することを可能にする機能を持つ。
【００２４】
低消費電力モード現在設定情報蓄積部１０６は、低消費電力モード設定情報出力部１０７から送信された設定期間における電子機器２００の低消費電力モード設定情報を、次回の低消費電力モード現在設定情報として入力して蓄積し、低消費電力モード設定情報算出部１０４が参照することを可能にする機能を持つ。
【００２５】
低消費電力モード設定情報出力部１０７は、低消費電力モード設定情報算出部１０４から入力した低消費電力モード設定情報を電子機器２００に出力すると共に、低消費電力モード設定情報を低消費電力モード現在設定情報蓄積部１０６に書き出す機能を持つ。
【００２６】
次に、消費電力制御システム１００の動作について詳細に説明する。図２は、本発明の実施の形態に係る消費電力制御システムの動作を示すフローチャートである。
【００２７】
まず、消費電力情報入力部１０１は、予め設定された期間（例えば１日）における電子機器２００の過去（例えば前日）の消費電力（Ｗ）の推移に関する情報である消費電力情報を入力し（図２のステップＡ１）、消費電力情報を動作状態検出部１０２に出力する（図２のステップＡ２）。
【００２８】
動作状態検出部１０２は、消費電力情報を受信し（図２のステップＡ３）、予め設定された電子機器２００の動作状態と待機状態の消費電力閾値、および待機状態と停止状態の閾値を用いて、設定期間における電子機器２００の過去の動作、待機、停止等の動作状態（例えば、動作状態を３、待機状態を２、停止状態を１という量子化した数値で表現する）の推移に関する情報である動作状態情報を算出し、動作状態情報を低消費電力モード新規設定情報算出部１０３に出力する（図２のステップＡ４）。
【００２９】
低消費電力モード新規設定情報算出部１０３は、動作状態情報を受信し（図２のステップＡ５）、設定期間よりも小さな値である制御区間（例えば１０分）ごとの制御区間ごとの待機状態から動作状態への移行回数を算出し、移行回数を単調減少関数で写像して制御区間ごとの利便性値を算出する（図２のステップＡ６）。次に、設定期間における電気使用量削減目標値（Ｗｈ）を、利便性値が大きいほど大きくなるように各制御区間に配分し、設定期間における電子機器２００の利用者の利便性を考慮した低消費電力モード設定情報である、低消費電力モード新規設定情報を算出し、低消費電力モード新規設定情報を低消費電力モード設定情報算出部１０４に出力する（図２のステップＡ７）。
【００３０】
低消費電力モード初期設定情報蓄積部１０５は、設定期間における電子機器２００の低消費電力モード初期設定情報を蓄積する（図２のステップＡ８）。
【００３１】
低消費電力モード現在設定情報蓄積部１０６は、前回の低消費電力モード現在設定情報を蓄積する（図２のステップＡ９）。
【００３２】
低消費電力モード設定情報算出部１０４は、低消費電力モード新規設定情報を受信する（図２のステップＡ１０）。
【００３３】
低消費電力モード初期設定情報蓄積部１０５は、蓄積されている低消費電力モード初期設定情報を読み出し（図２のステップＡ１１）、低消費電力モード設定情報算出部１０４は、低消費電力モード初期設定情報を読み込む（図２のステップＡ１２）。
【００３４】
低消費電力モード現在設定情報蓄積部１０６は、蓄積されている低消費電力モード現在設定情報を読み出し（図２のステップＡ１３）、低消費電力モード設定情報算出部１０４は、低消費電力モード現在設定情報を読み込む（図２のステップＡ１４）。
【００３５】
低消費電力モード設定情報算出部１０４は、低消費電力モード新規設定情報、低消費電力モード初期設定情報、低消費電力モード現在設定情報の３つより制御区間ごとの低消費電力モード設定時間を算出し、設定期間における電子機器２００の利用者の利便性を考慮した低消費電力モード設定情報を算出し、低消費電力モード設定情報を低消費電力モード設定情報出力部１０７に出力する（図２のステップＡ１５）。
【００３６】
低消費電力モード設定情報出力部１０７は、低消費電力モード設定情報算出部１０４から低消費電力モード設定情報を受信し（図２のステップＡ１６）、低消費電力モード設定情報を電子機器２００に送信し（図２のステップＡ１７）、低消費電力モード設定情報を低消費電力モード現在設定情報蓄積部１０６に書き出す（図２のステップＡ１８）。
【００３７】
低消費電力モード現在設定情報蓄積部１０６は、低消費電力モード設定情報を低消費電力モード現在設定情報として書き込む（図２のステップＡ１９）。
【実施例】
【００３８】
次に、具体的な実施例に即して消費電力制御システムの動作について説明する。ここで制御対象となる電子機器は、標準消費電力５９Ｗのデスクトップ型パソコンであるとする。
【００３９】
消費電力情報入力部１０１は、デスクトップ型パソコンの消費電力情報として、電子機器２００の昨日０時から２４時までの１分間ごとの消費電力推移のデータを入力する。ここで、ｍ分後（０≦ｍ≦１４４０）の消費電力値をｐｍ（Ｗ）とする。
【００４０】
動作状態検出部１０２は、消費電力情報を以下の論理により動作状態情報として動作状態値ｑｍを算出する。
（１）ｔ１＜ｐｍならば、ｑｍ＝３
（２）ｔ１≦ｐｍ≦ｔ２ならば、ｑｍ＝２
（３）ｐｍ＜ｔ２ならば、ｑｍ＝１
ここで、動作状態をｑｍ＝３、待機状態をｑｍ＝２、停止状態をｑｍ＝１とする。また、ｔ１は、動作状態と待機状態との間の消費電力閾値で、例えばｔ１＝５３（Ｗ）である。さらに、ｔ２は、待機状態と停止状態との間の消費電力閾値で、例えばｔ２＝６（Ｗ）である。
【００４１】
以上のようにして求められるｑｍは、ｐｍを離散化して階段関数にしたものを表す。ｑｍは、以下に説明するように、動作状態から待機状態への移行回数ｘｉをカウントするために用いられる。
【００４２】
低消費電力モード新規設定情報算出部１０３は、制御区間１０分の区間ｉ（０≦ｉ≦１４４）ごとの動作状態から待機状態への移行回数ｘｉおよび待機状態時間ｗｉを入力する。図３は、ある区間ｉにおける消費電力の変化（動作状況）の例であり、この場合ｘｉ＝４である。
【００４３】
次に、例えば、下記に示すような式により、低消費電力モード新規設定情報として区間ｉの低消費電力モード設定時間ｙｉ（分）を算出して出力する。
0004692342.tif 000002
ここで、Ｑは１日の電気使用量削減目標値であって、例えばＱ＝５０（Ｗｈ）である。ＲＳは、低消費電力モードを適用した場合と適用しない場合との消費電力の差であり、例えばＲＳ＝２１（Ｗ）である。ｙｍｉｎは定数で、ｙｍｉｎ＝１である。ｍｉｎ（ｘ，ｙ）は、ｘとｙの小さい方の値を与える関数である。
【００４４】
また、ｆ（ｘ）は、ｘ≧０で０以上の値を与える所定の単調減少関数であり、ｆ（ｘｉ）が電子機器の状態持続状況を表す利便性値に相当する。ｆ（ｘ）としては、例えば以下のいずれかに示すような式が好適である。
0004692342.tif 000003
但し、ａ、ｂ、ｃは、定数で、ａ＞０、ｂ＞０である。
【００４５】
ｆ（ｘ）のような単調減少関数を用いることで、区間ｉにおける電気使用量削減目標値の割当量を、移行回数ｘｉが大きい区間、すなわち頻繁に動作する区間ほど小さくなるように設定して、ユーザの利便性の確保を図る。
【００４６】
低消費電力モード初期設定情報蓄積部１０５には、低消費電力モード初期設定情報として区間ｉの低消費電力モード設定時間の初期値ａｉが蓄積されている。ここでは、全てのｉについてａｉ＝１（分）とする。また、低消費電力モード現在設定情報蓄積部１０６には、低消費電力モード現在設定情報として区間ｉの低消費電力モード設定時間の現在値ｂｉ（分）が蓄積されている。ここでは、前回の制御のために決定した低消費電力モード設定時間が蓄積されている。
【００４７】
低消費電力モード設定情報算出部１０４は、例えば下記に示すような式により、低消費電力モード設定情報として区間ｉの低消費電力モード設定時間ｓｉ（分）を算出して出力する。
0004692342.tif 000004
ここで、ｓｍｉｎは定数で、ｓｍｉｎ＝１である。また、ｇ（ｘ，ｙ，ｚ）は、ｘ≧０、ｙ≧０、ｚ≧０で０以上の値を与え、ｘ、ｙ、ｚを混合するような関数である。例えば、以下の示すような線形結合による式が好適である。
0004692342.tif 000005
但し、Ｘ、Ｙ、Ｚは、定数である。
【００４８】
低消費電力モード設定情報出力部１０７は、現在時刻に対応する低消費電力モード設定時間ｓｉを、１０分ごとにデスクトップ型パソコンに送信し、パソコンの低消費電力モード設定時間を書き換え、省エネ制御を行う。また、低消費電力モード設定時間ｓｉを低消費電力モード現在設定情報蓄積部１０６に書き込む。
【００４９】
例えば、２月６日の低消費電力モード設定時間ｓｉを算出するにあたり、前日の２月５日の０時から２４時までの１分間ごとの消費電力値ｐｍの入力を受けてｙｉを算出し、ａｉとｂｉとｙｉとからｓｉを算出する。ここで、ｂｉは、２月５日のｓｉと同じ値である。そして、ｓｉの算出後に、ｂｉ←ｓｉとしてｂｉに２月６日のｓｉを保存することで、翌日の２月７日の低消費電力モード設定時間ｓｉを算出する。
【００５０】
以上のように消費電力制御システムは、パソコンの利用状況に対応した制御を行い、利用者の利便性を維持した状態で、予め設定した電気使用削減量の目標値を達成するような動的な消費電力制御を行う。
【００５１】
なお、低消費電力モード設定情報は、デスクトップ型パソコンの本体の低消費電力モード設定時間であるとして説明したが、本体だけでなくモニタやハードディスクなどの個別ユニットや印刷機、さらに家電製品等における低消費電力モード設定時間にも同様に適用できることはいうまでもない。
【産業上の利用可能性】
【００５２】
本発明によれば、オフィスや家庭で利用されるパソコン等の電子機器の消費電力削減システムや、消費電力削減システムをコンピュータに実現するためのプログラムといった用途に適用できる。また、オフィスや家庭における省エネ活動、環境推進活動を管理するためのシステムといった用途にも適用できる。
【図面の簡単な説明】
【００５３】
【図１】本発明の実施の形態に係る消費電力制御システムの構成を示すブロック図である。
【図２】本発明の実施の形態に係る消費電力制御システムの動作を示すフローチャートである。
【図３】消費電力の変化（動作状況）の例を示す図である。
【符号の説明】
【００５４】
１００  消費電力制御システム
１０１  消費電力情報入力部
１０２  動作状態検出部
１０３  低消費電力モード新規設定情報算出部
１０４  低消費電力モード設定情報算出部
１０５  低消費電力モード初期設定情報蓄積部
１０６  低消費電力モード現在設定情報蓄積部
１０７  低消費電力モード設定情報出力部
２００  電子機器
【図１】
0004692342.tif 000006
【図２】
0004692342.tif 000007
【図３】
0004692342.tif 000008